(57)【要約】【課題】簡単な構造で、過電流引き外し時間の精度を向上させることができる回路遮断器の端子部構造を提供することを目的としている。【解決手段】本発明に係る回路遮断器の端子部構造は、略箱状の端子金具内側には、端子口側は略円形部を形成し、略円形部の奥側にはバイメタル取り付け部を設けた端子座を配置し、端子金具の上面からは端子ねじが挿通され、端子ねじを締め付けることで端子座に導体を接続し、端子座に設けられたバイメタル取り付け部には、回路に過電流が流れた場合に、ハンドルユニットを動作させるバイメタルを接続する。【選択図】図１
2010021044.tif 000002
【特許請求の範囲】
【請求項１】
ねじ締めにより導体を接続するねじ式端子を有する回路遮断器の端子部構造であって、略箱状の端子金具内側には、端子口側は略円形部を形成し、該略円形部の奥側にはバイメタル取り付け部を設けた端子座を配置し、前記端子金具の上面からは端子ねじが挿通され、該端子ねじを締め付けることで前記端子座に導体を接続し、前記端子座に設けられた前記バイメタル取り付け部には、回路に過電流が流れた場合に、ハンドルユニットを動作させるバイメタルを接続することを特徴とする回路遮断器の端子部構造。
【発明の詳細な説明】
【技術分野】
【０００１】
本発明は、ねじ締めにより導体を接続するねじ式端子を有する回路遮断器の端子部構造に関するものである。
【背景技術】
【０００２】
回路遮断器は分電盤に組み込まれ、過電流や漏電等、異常があったときに回路を遮断する機構を持つ。回路遮断器には電源と接続される電源側端子と負荷へと接続される負荷側端子が設けられている。ねじ式端子は、端子ねじを締め付けることで、導体を回路遮断器に接続する構造のもので、端子部には略箱状の端子金具が配置され、端子金具の底面部に端子座を設け、端子座にバイメタルが接着されている。回路中で過電流が発生した場合、過電流による発熱によってバイメタルが湾曲し、回路遮断器の操作ハンドルを動作させる掛合片と当たることで、導通を遮断する構造である。従来、端子金具は略箱状に形成されており、バイメタルと接着される端子座についても、端子金具に合わせて角形状であり、端子金具の底面部に端子金具に対向させ配置されていた。
【特許文献１】特開２００２−１８４２９３号公報
【発明の開示】
【発明が解決しようとする課題】
【０００３】
しかしながら、上記のように、略箱状の端子金具に、端子金具と形状を合わせた端子座によって形成された端子であると、端子ねじを端子金具の端子ねじ穴に挿通し締め付けたとき、端子座と端子金具が端子ねじの回動動作につられて回動してしまうことがあった。端子座が回動することによりバイメタルの位置も変わってしまうため、過電流が発生したときに、回路が遮断されるまでの時間の精度が悪くなってしまうという欠点があった。
【課題を解決するための手段】
【０００４】
そこで本発明は、簡単な構造で、過電流引き外し時間の精度を向上させることができる回路遮断器の端子部構造を提供することを目的とし、その構造は、略箱状の端子金具内側には、端子口側は略円形部を形成し、略円形部の奥側にはバイメタル取り付け部を設けた端子座を配置し、端子金具の上面からは端子ねじが挿通され、端子ねじを締め付けることで端子座に導体を接続し、端子座に設けられたバイメタル取り付け部には、回路に過電流が流れた場合に、ハンドルユニットを動作させるバイメタルを接続することを特徴とする。
【発明の効果】
【０００５】
本発明に係る回路遮断器の端子部構造は、略箱状の端子金具内側には、端子口側は略円形部を形成し、略円形部の奥側にはバイメタル取り付け部を設けた端子座を配置し、端子金具の上面からは端子ねじが挿通され、端子ねじを締め付けることで端子座に導体を接続し、端子座に設けられたバイメタル取り付け部には、回路に過電流が流れた場合に、ハンドルユニットを動作させるバイメタルを接続するため、簡単な構造にもかかわらず、端子ねじを回転させてもバイメタルの位置が変わらないため、過電流引き外し時間の精度を向上させることができる。
【発明を実施するための最良の形態】
【０００６】
本発明に係る回路遮断器の端子構造の実施例を図１〜図４の添付図面に基いて説明する。
【０００７】
回路遮断器１内で電流は、電源側端子２から固定接触子３、可動接触子４等を経て、過電流引き外し装置５を通って負荷側端子６へと流れている。図１に示すようにオン状態では、ハンドルユニット７が可動接触子４を押した状態で、固定接触子３に可動接触子４が接触しているため通電される。また図２に示すようにオフ状態では、ハンドルユニット７が固定接触子３を引いた状態で、固定接触子３に可動接触子４が接触しないため通電されない。
【０００８】
負荷側端子６は、略箱状の端子金具８が設けられており、端子金具８の上面には、端子ねじ９が挿通可能である挿通穴８ａが形成されている。端子金具８の下面内側には端子座１０が取り付けられており、端子座１０の、端子口１１とは反対側にバイメタル１２で構成される過電流引き外し素子が配置される。回路遮断器１内を流れる電流が発する熱によりバイメタル１２が湾曲した場合に、バイメタル１２の先端が押し付けられる位置に掛合片１３が配置される。掛合片１３は、回路遮断器１の外部から回路をオン・オフするハンドルユニット７の端部に、ハンドルユニット７がオンの状態で掛合し、オンの状態を保持する機能を担っている。
【０００９】
バイメタル１２は熱膨張率の異なる二枚の金属板を張り合わせたもので、融点温度の異なる回路遮断器１内に過電流が通った場合、その電流の発する熱でバイメタル１２は一定方向へ湾曲するように構成されている。
【００１０】
回路遮断器１のケースは例えば、左部材、中部材、右部材といった部材を組み合わせることで構成されている。端子金具８は、回路遮断器１のケースの形状に合わせて箱状とし、それぞれの部材を組み付けたときに、端子金具８も一定位置に固定されるようになっている。端子金具８に取り付けられる端子座１０は支持部１４と略円形部１５とバイメタル取り付け部１６とを形成する。端子座１０は、略円形部１５を端子金具８の内側に接触させ、支持部１４で端子金具８に支持させ、バイメタル取り付け部１６を端子金具８の、端子口１１とは反対側に位置させて取り付ける。バイメタル取り付け部１６にバイメタル１２を接着させる。
【００１１】
過電流が発生し、バイメタル１２が動作したとき、バイメタル１２の端部が掛合片１３の接触部１３ａに接触し、掛合片１３が押され、オンの状態で保持していたハンドルユニット７との掛合が解除され、ハンドルユニット７がオフ状態となる。ハンドルユニット７の動作によって、固定接触子３と可動接触子４が離れ回路が遮断される。
【００１２】
回路遮断器１の負荷側端子６では、電線や導電バー等の導体が端子ねじ９の締め付けにより接続される。接続不良等を避けるため、端子ねじ９を確実に締めようとした場合、この端子ねじ９を受ける端子座１０が端子ねじ９の締め付け方向に回動してしまうことがあった。端子座１０が回動すると、端子座１０に隣接する過電流引き外し素子であるバイメタル１２も掛合片１３に対して平行ではなくなってしまう。バイメタル１２のどの部分が掛合片１３に当たっても、掛合片１３は動作してしまう。
【００１３】
従来の過電流引き外し素子は、端子金具に設けられる端子座は、端子金具に対向させた形状で構成されており、端子ねじを強く締めた場合、端子金具と連動して端子座も回動してしまい、端子座に接続されているバイメタルの位置も変わってしまう。バイメタルが掛合片に対して斜めの位置に配置されたとき、掛合片からバイメタルの最短距離は、バイメタルが掛合片に対して平行に配置されたときの距離に比べて小さくなる。つまり、過電流引き外し装置の動作時間が短くなり、回路が遮断されがちになる。このように、バイメタルの配置位置によっては、掛合片への距離が異なってしまうのに比べて、本発明は、端子座１０の端子金具８の下面内側に対向する部分を略円形に形成することで、端子ねじ９を強く締め付けて端子金具８が回動しても、端子座１０は端子金具８と接する面積が小さいので端子金具８に連動しては回転せず、バイメタル１２が掛合片１３に対して一定の距離を保つことができる構造である。
【００１４】
バイメタル１２の位置が一定の位置に設けられると、過電流が発生して回路遮断器が回路を遮断する動作までの、過電流引き外し時間を一定にすることができ、精度の高い回路遮断器を提供することができる。
【図面の簡単な説明】
【００１５】
【図１】回路遮断器の側面断面図である。
【図２】回路遮断器の端子金具と端子座を示す説明図である。
【図３】図３における端子金具に端子座を組み込んだ状態を示す説明図である。
【図４】端子金具を上面から見た説明図である。
【符号の説明】
【００１６】
１      回路遮断器
２      電源側端子
３      固定接触子
４      可動接触子
５      過電流引き外し装置
６      負荷側端子
７      ハンドルユニット
８      端子金具
９      端子ねじ
１０    支持部
１１    端子口
１２    バイメタル
１３    掛合片
１３ａ  接触部
１４    支持部
１５    略円形部
１６    バイメタル取り付け部
【図１】
2010021044.tif 000003
【図２】
2010021044.tif 000004
【図３】
2010021044.tif 000005
【図４】
2010021044.tif 000006